(57)【要約】【課題】走行車輪の回転径を小さくして作業機の高さを低くする形態の草刈機においては、この車輪の車軸部が低位に構成されるために、芝草との接触が行われ易く、この車軸部に対する芝草の巻付が行われ易く、円滑な走行が行われ難い。【解決手段】左右一対の前輪１を進行方向に対して前端が内側に向くように傾斜Ａさせて、この前輪１の横方向幅域B内で、かつ背部側に、この前輪１を軸受けする車軸２を設けたる草刈機の走行装置の構成とする。左右の前輪１は進行方向に対して前端側が内側に向いた傾斜Ａ状態で回転走行するものであるから、未刈取地側の芝草をこの側の前輪１で押分けるようにして前進しながら刈取作用する。このため前輪１がこの車軸軸２周りに回転しても、この車軸２は、前輪１の横方向幅域Ｂ内で、かつ背部側に位置して設けられるため、この前輪１の前側に押された芝草が、後側の車軸２部に接触したり、巻き付くことが少ない。【選択図】図１
2009082113.tif 000002
【特許請求の範囲】
【請求項１】
左右一対の前輪（１）を進行方向に対して前端が内側に向くように傾斜（Ａ）させて、この前輪（１）の横方向幅域（Ｂ）内で、かつ背部側に、この前輪（１）を軸受けする車軸（２）を設けたことを特徴とする草刈機の走行装置。
【発明の詳細な説明】
【技術分野】
【０００１】
この発明は、畦や、傾斜地等の芝草を刈り取る草刈機の走行装置に関する。
【背景技術】
【０００２】
後輪を駆動してハンドル操作によって走行しながら草刈取作業する歩行操作形態の草刈機の技術（例えば、特許文献１参照）が知られている。
【特許文献１】特開平９―１７２８４２号公報（第２頁、図１）
【発明の開示】
【発明が解決しようとする課題】
【０００３】
走行車輪の回転径を小さくして作業機の高さを低くする形態の草刈機においては、この車輪の車軸部が低位に構成されるために、芝草との接触が行われ易く、この車軸部に対する芝草の巻付が行われ易く、円滑な走行が行われ難い。
【課題を解決するための手段】
【０００４】
請求項１に記載の発明は、左右一対の前輪１を進行方向に対して前端が内側に向くように傾斜Ａさせて、この前輪１の横方向幅域Ｂ内で、かつ背部側に、この前輪１を軸受けする車軸２を設けたことを特徴とする草刈機の走行装置の構成とする。草刈機を前進させながら芝草の刈取作用を行わせる。このとき、左右の前輪１は進行方向に対して前端側が内側に向いた傾斜Ａ状態で回転走行するものであるから、未刈取地側の芝草をこの側の前輪１で押分けるようにして前進しながら刈取作用する。このため前輪１がこの車軸軸２周りに回転しても、この車軸２は、前輪１の横方向幅域Ｂ内で、かつ背部側に位置して設けられるため、この前輪１の前側に押された芝草が、後側の車軸２部に接触したり、巻き付くことが少ない。又、この草刈機で傾斜法面地での刈取作業を行うときは、左右一側の車輪を傾斜法面の上側に位置させると共に、他側の車輪を下側に位置させて刈取機を横向き傾斜の姿勢にして走行させながら刈取作業するが、このとき傾斜法面下位側の、しかも車体の重量が大きく働いている前輪１の内向き傾斜Ａが、傾斜法面部に対して上り方向へ向いているため、この前輪１の内向き傾斜Ａによる操向と刈取機重量による傾斜法面の滑下作用との均衡によって、傾斜地面横方向（等高線方向）に沿う走行を正確に、安定して行うことができる。
【発明の効果】
【０００５】
請求項１に記載の発明は、前輪１の内向き傾斜Ａ角を大きく形成するため、傾斜地での刈取時に、車体の滑り降りを少なくして、操向操作性を容易化することができると共に、前輪１の車軸２を、この前輪１の横方向幅域Ｂ内で、かつ背部側に位置させるため、芝草の巻付きを少なくすることができる。
【発明を実施するための最良の形態】
【０００６】
図例において、草刈機は左右一対の前輪１と後輪２とを配置して、刈取デッキ３の下側にはブレード軸４周りに回転するブレード５を設け、これら後輪２と、ブレード軸４とを刈取デッキ３の後上部に搭載のエンジン６によって駆動回転することによって機体を走行しながら芝草を刈り取ることができる。この刈取デッキ３の上側にはハンドル７を旋回可能に設け、このハンドル７を機体の後方や、横方向へ切替突出させて、刈取操作することができる。ここにおいて、この草刈機の走行装置は、左右一対の前輪１を進行方向に対して前端が内側に向くように傾斜Ａさせて、この前輪１の横方向幅域Ｂ内で、かつ背部側に、この前輪１を軸受けする車軸２を設けたことを特徴とする草刈機の走行装置の構成とする。草刈機を前進させながら芝草の刈取作用を行わせる。このとき、左右の前輪１は進行方向に対して前端側が内側に向いた傾斜Ａ状態で回転走行するものであるから、未刈取地側の芝草をこの側の前輪１で押分けるようにして前進しながら刈取作用する。このため前輪１を操向操作しても、車軸２は、前輪１の横方向幅域Ｂ内で、かつ背部側に位置して設けられるため、この前輪１の前側に押分けられた芝草が、後側の車軸２に接触したり、巻き付くことが少ない。又、この草刈機で傾斜法面地での刈取作業を行うときは、左右一側の車輪を傾斜法面の上側に位置させると共に、他側の車輪を下側に位置させて刈取機を横向き傾斜の姿勢にして走行させながら刈取作業することがあるが、このとき傾斜法面下位側の、しかも車体の重量が大きく働いている前輪１の内向き傾斜Ａが、傾斜法面部に対して上り方向へ向いているため、この前輪１の内向き傾斜Ａによる操向作用と、刈取機重量による傾斜法面に沿って滑下作用との均衡化によって、傾斜地面に沿う走行を正確に、安定して行うことができる。前記ブレード５回転による刈取域と、前輪１の関係位置は、このブレード５の回転径と、左右前輪１の前端における横幅Ｆと略同幅に設定している。このため、刈取作用時には、前輪１横幅Ｆ間の芝草を刈取ることができる。
【０００７】
前記刈取デッキ３の後端部に配置の後輪８は、中央部の伝動ケース９の左右両側に車輪軸１０を軸装して、この車輪軸１０に対してドラムホイル１１を有した後輪８を軸装する。このドラムホイル１１の外周面にはラグ１２を突出配置して、左右後輪８間の刈取跡地面を掻くようにして回転駆動することにより、走行スリップを少なくする。外側の後輪８はこれらドラムホイル１１の回転径よりも大きい径に設定して、接地回転して走行することができる。前記前輪１は、刈取デッキ３前端部の左右両端部に配置して、これら左右の前輪１の前端部をこれら前輪１間隔部の内側に位置し、後端部を外側部に位置するように、平面視でハの字状形態に傾斜Ａさせて軸装配置する。刈取デッキ３上側から前方へ突出した前輪アーム１３の下端部には、外側前方位置に向けて適宜傾斜角度Ｃの前輪１車軸２を設け、この車軸２に対して前輪１を回転自在に軸装する。この前輪１の車軸２は、前記前輪アーム１３に対して一定の傾斜角度Ｃに固定する。又、前記ハンドル７側の操作具等によって操向することができるように操向軸を設け、この操向軸に対して前記車軸２を前側外側部へ向けて傾斜角度Ｃに突出する形態とすることも可能である。
【０００８】
このような車軸２に軸装される前輪１の内側傾斜角度は、通常の車両の前輪のトーイン角よりも大きく（３°〜１０°）設定して、この前輪１の背部に位置させて設ける車軸２を、この前輪１の横方向幅域Ｂの内側に位置させて、外側へ張り出さないような関係位置に設定している。従って、この前輪２の傾斜Ａ角度を大きく設定するに伴って、この前輪１の横方向幅Ｂを広く設定できるため、前記横方向幅域Ｂ内への車軸２の設定は容易となるが、この傾斜Ａ角度が大きくなると，前輪１の回転が円滑に行われなくなって走行抵抗になり易い。このため、このような走行抵抗の影響を受け難い程度において、できるだけ大きく傾斜Ａするように設定する。
【０００９】
通常の刈取方法では、ハンドル７を刈取デッキ３の後方へ向けた形態にして、機体を前進走行させながら刈取デッキ３内側のブレード５の回転によって芝草を刈り取ることができる。又、畦法面のように傾斜面Ｄの刈取を行うときは、前記ハンドル７を、図例のように、刈取デッキ３に対して横側へ振り向けた形態に切り替えて、作業者が傾斜面Ｄ上側の通路Ｅ面上を歩きながら、このハンドル７を把持して刈取デッキ３を傾斜面Ｄに沿わせた形態にして、エンジン６による後輪８の駆動によってこの傾斜面Ｄを横方向へ走行移動させながら刈取作業を行う。この刈取状態では、刈取デッキ３等の機体重心が傾斜面Ｄの下側へ偏倚して働くものであるから、この下側に位置する車輪１、８に大きい重量が働き、上側に位置する車輪１、８が刈取地面から浮上するようになって、傾斜側へ転倒し易い姿勢になることがある。このため、傾斜下側の前輪１の接地圧は強く働いて、前記のように傾斜Ａ状態にある前輪１の回転によって、この前輪１が傾斜面Ｄを駆け上るように作用して、機体の重量による滑り降り作用に対抗するもので、機体のハンドル７による操作方向に沿った刈取進行方向を正確に維持させて、操作性を良好にすることができる。この場合、傾斜面Ｄ上側に位置する前輪１は、接地圧が小さいため、操向作用力は殆ど有しない。
【図面の簡単な説明】
【００１０】
【図１】草刈機の平面図。
【図２】その前輪部の拡大平面図。
【図３】草刈機の側面図。
【図４】傾斜地の刈取作業状態を示す斜視図と、正面図。
【符号の説明】
【００１１】
１    前輪
２    車軸
Ａ    傾斜
Ｂ    横方向幅域
【図１】
2009082113.tif 000003
【図２】
2009082113.tif 000004
【図３】
2009082113.tif 000005
【図４】
2009082113.tif 000006